(57)【特許請求の範囲】
【請求項１】
内部にＲＦ導波管チャンネルを有する導電性材料でメッキされた熱可塑性プラスチック材料で構成されているフレアノッチ放射器素子と、
前記フレアノッチ放射器素子の内部の前記ＲＦ導波管チャンネル中に挿入されて配置され、前記フレアノッチ放射器素子に接続され、アルミニウム支持体によって支持されているサーキュレータアセンブリと、入力および出力コネクタと、ＲＦプローブとを含む回路サブアセンブリと、
フレアノッチ放射器素子中に配置され、外部環境からＲＦ導波管チャンネルを密封している環境プラグとを具備し、
前記アルミニウム支持体はアンテナの開口プレートに取付けられ、前記サーキュレータアセンブリによって発生された熱を転送するための熱伝導路を構成しており、同軸入力および出力コネクタを取付けるための２個の孔を備え、回路サブアセンブリを開口プレートに取付けるための捩子を有する取付け孔を備えているアンテナ装置。
【請求項２】
開口プレート上に配置された複数の放射器アセンブリを具備し、各放射器アセンブリは、
内部にＲＦ導波管チャンネルを有するメッキされた熱可塑性樹脂材料で構成され、隣接する放射器アセンブリとインターロックするためのＴ字形状のタブをその端部に有しているフレアノッチ放射器素子と、
フレアノッチ放射器素子の前記ＲＦ導波管チャンネルに挿入されて配置され、フレアノッチ放射器素子に接続され、アルミニウム支持体によって支持されているサーキュレータアセンブリと、入力および出力コネクタと、ＲＦプローブとを含んでいる回路サブアセンブリと、
フレアノッチ放射器素子中に配置され、外部環境からＲＦ導波管チャンネルを密封している環境プラグとを具備し、
前記アルミニウム支持体はアンテナの開口プレートに取付けられ、前記サーキュレータアセンブリによって発生された熱を転送するための熱伝導路を構成し、同軸入力および出力コネクタを取付けるための２個の孔を備え、回路サブアセンブリを開口プレートに取付けるための捩子を有する取付け孔を備えているアンテナ装置。
【請求項３】
内部にＲＦ導波管チャンネルを有する導電性材料でメッキされた熱可塑性樹脂材料で構成され，その端部に隣接する放射器アセンブリと結合するためのタブを有している放射器エンクロージャと、
前記放射器エンクロージャに挿入されて配置され、前記放射器エンクロージャに接続され、アルミニウム支持体によって支持されているサーキュレータアセンブリと、入力および出力コネクタと、ＲＦプローブとを含んでいる回路サブアセンブリと、
前記導電性材料でメッキされた熱可塑性樹脂材料で構成された放射器エンクロージャ中に配置され、外部環境からＲＦ導波管チャンネルを密封している環境プラグとを具備し、
前記アルミニウム支持体はアンテナの開口プレートに取付けられ、前記サーキュレータアセンブリによって発生された熱を転送するための熱伝導路を構成し、同軸入力および出力コネクタを取付けるための２個の孔を備え、回路サブアセンブリを開口プレートに取付けるための捩子を有する取付け孔を備えているアンテナ装置。
【請求項４】
開口プレート上に配置された複数の放射器アセンブリを具備し、各放射器アセンブリは、
内部にＲＦ導波管チャンネルを有するメッキされた熱可塑性樹脂材料で構成されその端部に近隣の放射器アセンブリとインターロックするためのＴ字形状のタブを有している放射器エンクロージャと、
前記放射器エンクロージャの内部のＲＦ導波管チャンネルに挿入されて配置され、前記放射器エンクロージャに接続され、アルミニウム支持体によって支持されているサーキュレータアセンブリを固定する支持体と、入力および出力コネクタと、ＲＦプローブとを含んでいる回路サブアセンブリと、
前記放射器エンクロージャ中に配置され、外部環境からＲＦ導波管チャンネルを密封している環境プラグとを具備し、
前記アルミニウム支持体はアンテナの開口プレートに取付けられ、前記サーキュレータアセンブリてによって発生された熱を転送するための熱伝導路を構成し、同軸入力および出力コネクタを取付けるための２個の孔を備え、回路サブアセンブリを開口プレートに取付けるための捩子を有する取付け孔を備えているアンテナ装置。
【発明の詳細な説明】
【０００１】
【発明の属する技術分野】
本発明は、アンテナおよびアンテナ放射器アセンブリに関し、特に導電性メッキされた注入モールドプラスティック放射器アセンブリおよびそれを使用して構成されたアンテナ放射器アセンブリに関する。
【０００２】
【従来の技術】
通常のフレアノッチ放射器アセンブリはアルミニウムから機械加工され、そのためメッキされたプラスティックに比較してはるかに重い。これらの通常のアセンブリは長さの変化する２つの部片のハウジングから形成されている。開口形状のために多数の長さおよび量の異なったものが必要とされる。通常の方法はプログラムおよび工具製造コストを増加し、論理的なサポートを増加する。これらのコストを減少させ、アセンブリ中の部品の数を最小にする放射器アセンブリを得ることが望まれている。
【０００３】
【発明が解決しようとする課題】
通常の２つの部片のハウジングは周囲環境に対してＲＦプローブを露出し、湿気をトラップし、そのため汚染およぴ腐食を受ける可能性が高い。ＲＦプローブを保護して湿気がエンクロージャ中に侵入するするのを防止する放射器アセンブリを得ることが望ましい。
【０００４】
それ故、本発明の目的は、通常の設計の上記のような欠点を克服し、改良されたアレイアンテナ等の構成を可能にする改良された導電性メッキされた注入モールドプラスティック放射器アセンブリを提供することである。
【０００５】
【課題を解決するための手段】
本発明は、改良された導電性メッキされた注入モールドプラスティック放射器アセンブリを提供する。多数の放射器アセンブリは開口プレートに固定されてアンテナを構成する。放射器アセンブリは３つの部分、すなわち回路／ＲＦプローブサブアセンブリと、内部に回路／ＲＦプローブサブアセンブリが取付けられる放射器エンクロージャと、モールドされた湿気に対する抵抗性が強く低損失の誘電体環境プラグとから構成されている。
【０００６】
放射器アセンブリは単一ユニットとして構成され、それは機械加工されたアルミニウム放射器ストリップと関連する積層誤差を減少し、限定されない開口形状を許容する。放射器アセンブリの設計はエンクロージャに湿気が侵入することを阻止する。自己含有放射器アセンブリのユニークな特徴は、軽量で、湿気に対して抵抗性があり、組立ておよび設置が容易であることである。
【０００７】
本発明の放射器エンクロージャは無電気メッキ技術を使用する導電性メッキされた適切な熱可塑性産業用樹脂材料を使用した注入モールドで形成されることが好ましい。このエンクロージャは重量を減少し、導波管チャンネルを与え、最終組立て中の整列を容易にするポケットを有する。エンクロージャはタブを有し、それは設置のときに隣接する放射器アセンブリに結合される。この特徴は設置のときに整列を容易にし、アンテナ開口全体の剛性を改善する。
【０００８】
最終的な放射器の組立てに先立って、環境プラグが放射器エンクロージャのＲＦチャンネルセクションに挿入される。プラグは外部環境からＲＦチャンネルを密封する。それから、回路アセンブリが放射器エンクロージャ中に挿入され、アセンブリは開口プレートに固定される。
【０００９】
【発明の実施の形態】
本発明の種々の特徴および利点は、添付図面を参照にした以下の詳細な説明によって容易に理解されるであろう。
【００１０】
図１を参照すると、本発明の原理による放射器アセンブリ１０の１実施形態の分解斜視図が示されている。放射器アセンブリ１０はフレアノッチ放射器素子２０を有するフレアノッチ放射器アセンブリ１０から構成されている。フレアノッチ放射器アセンブリ１０は導電性メッキされた注入モールドプラスティック放射器アセンブリ１０である。多数の放射器アセンブリ１０は平坦なプレートとして概略的に図示されているアンテナ開口プレート３０に取付けられている。放射器アセンブリ１０は、回路／ＲＦプローブサブアセンブリ４０と、放射器エンクロージャ５０と、環境プラグ６０との３つの部分から構成されている。
【００１１】
回路／ＲＦプローブサブアセンブリ40は、アルミニウム支持体41と、その上に取付けられたサーキュレータアセンブリ42とを備え、このサーキュレータアセンブリ42はアルミナ基板43とそれに取付けられたサーキュレータ44と、２個の同軸入力／出力コネクタ45と、ＲＦプローブ46とを含んでいる。アルミニウム支持体41はＴ形であり、全体の回路／ＲＦプローブサブアセンブリ40に剛性を与えると共にサーキュレータアセンブリ42によって発生された熱を開口プレート30に転送するための熱伝導路を提供している。支持体41はまた入力／出力コネクタ45のための２つの孔48と、支持体41を開口プレート30に固定するための捩子を設けられた取付け孔47とを有している。アルミナ基板43はその上に形成された複数の回路を有し、それらは放射器アセンブリ10を通してエネルギを結合するために使用される。
【００１２】
放射器エンクロージャ50は無電気メッキプロセスを使用して導電性にメッキされた適切な熱可塑性産業用樹脂材料を使用して注入モールドで形成されることが好ましい。放射器エンクロージャ50はＲＦプローブ46のための導波管チャンネル51を構成しているポケットを備えており、スロット52がエンクロージャ50の側面に沿って設けられ、それは最終組立て中に整列具として機能する。２個のタブ59はスロット52の端部に設けられて放射器アセンブリ10が組立てられるときに回路／ＲＦプローブサブアセンブリ40の位置を保持する。エンクロージャ50はＴ形タブ53をフレア点の１つの端部に有し、それは設置するとき隣接する放射器アセンブリ10に結合される。Ｔ形タブ53は設置のときに整列を助け、アンテナ開口全体の剛性を改良する。
【００１３】
図示された例示的な実施形態では、導波管チャンネル51は、回路／ＲＦプローブサブアセンブリ40が挿入されるエンクロージャ50の底部においては方形の断面を有している。ポケットで構成された導波管チャンネル51はエンクロージャ50の左側のフレア部分中に延在している。エンクロージャ50は、エンクロージャ50の内部の一部を横切って延在する内部壁54を有する。この内部壁54は開口55を有し、その開口55を通ってＲＦプローブ46が挿入され、エンクロージャ50の右側のフレア部分中の空洞56にＲＦプローブ46を保持する。環境プラグ60は内部壁54と空洞56が位置するエンクロージャ50の部分との間の開口中に挿入される。Ｌ形の空洞57が内部壁54の上部のエンクロージャ50の右側のフレア部分中に形成されている。
【００１４】
回路／ＲＦプローブサブアセンブリ40は組立てられて、放射器エンクロージャ50に挿入される前に電気的に試験される。環境プラグ60またはガスケット60は放射器エンクロージャ50中に配置されて最終組立て中に回路サブアセンブリ40が放射器エンクロージャ50に挿入される前に自己密封される。環境プラグ60は開口61を有し、それはエンクロージャ50の内部壁54の開口55および空洞56と整列し、そこにＲＦプローブ45が挿入される。
【００１５】
環境プラグ60はモールドされ、湿気に対する抵抗性が強い低損失の誘電体プラグであることが好ましい。放射器アセンブリ10の最終組立てに先立って環境プラグ60は放射器エンクロージャ50のＲＦチャンネルセクション58に挿入され、その開口61は放射器エンクロージャ50の内部壁54の開口55と、および空洞56と整列される。環境プラグ60は導波管チャンネル51を外部環境から密封する。それから回路／ＲＦプローブサブアセンブリ40は放射器エンクロージャ50に挿入され、ＲＦプローブ46は放射器エンクロージャ50の内部壁54の開口55、環境プラグ60の開口61を通って空洞56に挿入される。組立てられた回路／ＲＦプローブサブアセンブリ40は、ガイドとしてスロット52を使用して、基板43、ＲＦプローブ46、および入力／出力コネクタ45と共にアルミニウム支持体41を導波管チャンネル51中にスライドさせて回路／ＲＦプローブサブアセンブリ40が導波管チャンネル51内のタブ59によって固定されるまで挿入することによって固定される。放射器アセンブリ10は開口プレート30に固定される。
【００１６】
放射器アセンブリ10は単一のユニットとして構成される。放射器アセンブリ10は、通常の装置で使用されている機械加工されたアルミニウム放射器ストリップに関連する積層誤差を減少させ、限定されない開口形状を可能にする。放射器アセンブリ10の設計はＲＦプローブ46を保護し、湿気がエンクロージャ50内に侵入することを防止する。自己内蔵放射器アセンブリ10のユニークな特徴は、軽量で、湿気に対して抵抗性があり、組立ておよび設置が容易であることである。
【００１７】
本発明はフレアノッチ放射器を使用する能動アレイアンテナシステムにより使用されることができる。本発明はコストを低下させ、多能性を改善し、使用されるアンテナシステムの性能を改善する。
【００１８】
以上、改良された放射器アセンブリが開示された。ここに記載された実施形態は本発明の原理の適用を示す多くの特定の実施形態の幾つかのものの単なる例示に過ぎない。本発明の技術的範囲を逸脱することなく多数のその他の構成が当業者には明白であろう。
【図面の簡単な説明】
【図１】本発明の原理による放射器アセンブリの１実施形態の分解斜視図。
【図１】
0003548122.tif 000002